(57)【要約】  本発明は、有効な登録を行っていなくてもユーザが緊急メッセージを選択された通信ネットワークたとえばWiMAXネットワークへ伝達できるようにした方法に関する。
2010501131.tif 000002
【特許請求の範囲】
【請求項１】
アクセスネットワーク（ＡＳＮ）を備えた通信ネットワーク内で端末機器の緊急メッセージを伝送する方法において、
前記端末機器の緊急メッセージがネットワークアクセス識別子（ＮＡＩ）により表されており、
前記アクセスネットワーク（ＡＳＮ）は該ネットワークアクセス識別子（ＮＡＩ）に基づき緊急メッセージを識別して、緊急コネクティビティ・サービス・ネットワーク（緊急ＣＳＮ）へ伝送することを特徴とする、
端末機器の緊急メッセージを伝送する方法。
【請求項２】
請求項１記載の方法において、
前記通信ネットワークはいわゆるWiMAX（Worldwide Interoperability for Microwave Access）無線ネットワークであることを特徴とする方法。
【請求項３】
請求項１記載の方法において、
前記端末機器は前記通信ネットワークには登録されておらず、
前記アクセスネットワーク（ＡＳＮ）の認証サーバ（ＡＡＡ）は、前記ネットワークアクセス識別子（ＮＡＩ）に基づき緊急メッセージを識別し、前記端末機器を前記通信ネットワークに登録することを特徴とする方法。
【請求項４】
請求項１記載の方法において、
前記端末機器は前記通信ネットワークには登録されておらず、
前記アクセスネットワーク（ＡＳＮ）は、前記ネットワークアクセス識別子（ＮＡＩ）に基づき緊急メッセージを識別して前記緊急コネクティビティ・サービス・ネットワークの認証サーバ（ＡＡＡ）へ転送し、
該緊急コネクティビティ・サービス・ネットワーク（緊急ＣＳＮ）の認証サーバ（ＡＡＡ）は前記端末機器を前記通信ネットワークに登録することを特徴とする方法。
【請求項５】
請求項１記載の方法において、
前記ネットワークアクセス識別子（ＮＡＩ）は、前記端末機器を識別するためのキャラクタシーケンスと、前記緊急コネクティビティ・サービス・ネットワーク（緊急ＣＳＮ）をアドレッシングするためのキャラクタシーケンスとから成ることを特徴とする方法。
【請求項６】
請求項１記載の方法において、
前記端末機器は前記通信ネットワークには登録されておらず、
前記アクセスネットワーク（ＡＳＮ）は、前記ネットワークアクセス識別子（ＮＡＩ）に基づき緊急メッセージを識別して前記緊急コネクティビティ・サービス・ネットワーク（緊急ＣＳＮ）へ転送することを特徴とする方法。
【請求項７】
請求項１記載の方法において、
前記端末機器は前記通信ネットワークには登録されておらず、
前記アクセスネットワーク（ＡＳＮ）は、機器識別子（Device Authenticationデバイス認証子）に基づき前記端末機器を認証し、および／または該端末機器に権限を付与することを特徴とする方法。
【請求項８】
請求項１記載の方法において、
前記緊急コネクティビティ・サービス・ネットワーク（緊急ＣＳＮ）の認証サーバ（ＡＡＡ）は、事前に権限の付与されているアクセスネットワーク（ＡＳＮ）および／または事前に権限の付与されているアクセスネットワーク（ＡＳＮ）の認証サーバ（ＡＡＡ）から到来した緊急メッセージを承認することを特徴とする方法。
【請求項９】
請求項１記載の方法において、
通信ネットワークプロバイダによりユーザプロファイルを設定可能であり、該ユーザプロファイルのパラメータに基づき前記端末機器と前記緊急コネクティビティ・サービス・ネットワーク（緊急ＣＳＮ）との間の通信コネクションに対し取り決めが行われ、
前記ネットワークアクセス識別子（ＮＡＩ）は、前記ユーザプロファイルを表すキャラクタを有しており、
前記アクセスネットワーク（ＡＳＮ）および／または前記緊急コネクティビティ・サービス・ネットワーク（緊急ＣＳＮ）は前記ネットワークアクセス識別子（ＮＡＩ）に基づき、設定されたユーザプロファイルを求めることを特徴とする方法。
【請求項１０】
通信ネットワーク内で端末機器の緊急メッセージを伝送するシステムにおいて、
前記端末機器の緊急メッセージがネットワークアクセス識別子（ＮＡＩ）により表されており、
アクセスネットワーク（ＡＳＮ）が設けられており、該アクセスネットワーク（ＡＳＮ）は前記ネットワークアクセス識別子（ＮＡＩ）に基づき緊急メッセージを識別し、
緊急コネクティビティ・サービス・ネットワーク（緊急ＣＳＮ）が設けられており、該緊急コネクティビティ・サービス・ネットワーク（緊急ＣＳＮ）へ、識別された前記緊急メッセージが前記アクセスネットワーク（ＡＳＮ）から転送されることを特徴とするシステム。
緊急コネクティビティ・サービス・ネットワーク（緊急ＣＳＮ）へ伝送することを特徴とする、
端末機器の緊急メッセージを伝送する方法。
【請求項１１】
ネットワークアクセス識別子（ＮＡＩ）を伴う緊急メッセージであることを表す手段が設けられていることを特徴とする移動端末機器。
【発明の詳細な説明】
【技術分野】
【０００１】
本発明は、たとえばWiMAXネットワークのための、通信ネットワークにおける緊急メッセージを転送する方法およびシステムに関する。
【０００２】
７５ＭＢ／ｓの高いデータスループットで３０ｋｍあるいはそれ以上に及ぶいっそう大きい到達距離（ＬＯＳ 見通し線）も得られる移動端末機器のための新しいワイヤレス通信テクノロジーを推進する目的で、いわゆるWiMAXフォーラム（vjww.WiMAXforum.org）において関心をもつ多くの人々が連携している。WiMAX (Worldwide Interoperability for Microwave Access)によれば、１００〜２００ＭＨｚの周波数幅で２．６ＧＨｚ、３．５ＧＨｚおよび５．８ＧＨｚを中心とする３つの周波数帯域が設定されている。WiMAXによればモバイルＩＰ（Internet Protokoll）がサポートされ、これによって移動端末機器はたとえばVoice-over-IPを介して他の通信加入者と電話できるようになる。
【０００３】
将来のWiMAXネットワークに対する要求は、既存のサービスに加えて緊急サービス（Emergency Services）もサポートすることである。緊急サービスにより保証されなければならないのは、選択された通信ネットワークに有効な登録がなくてもユーザが緊急メッセージを伝達できるようにする点である。
【０００４】
通信ネットワークにおいて有効な登録がないのは、ビジターとしてアクセスした通信ネットワークにおける認証のために適切なキーをユーザが所有していない場合である。このことが該当するのはたとえば、個々のネットワークプロバイダにおいてビジターとしてアクセスする通信ネットワークに対し通信加入者が登録を行っていない場合であり、あるいは通信加入者と登録の取り決めを行ったネットワークプロバイダが、目下ビジターとしてアクセスしている通信ネットワークとはローミング協定を結んでいない場合である。
【０００５】
通信ネットワークにおいて有効な登録が存在しないさらに別の可能性として挙げられるのは、該当する通信加入者のプリペイド口座が空であるか十分な額がないときである。
【０００６】
通常、端末機器ないしはその通信加入者の認証は従来技術によれば、アクセスネットワーク（ASN: Access Serving Network）における認証サーバ（AAA-Client : Authentication Authorization and Accounting-Client）がホームネットワーク（CSN: Connectivity Service Networkコネクティビティ・サービス・ネットワーク）における認証サーバへ認証用問い合わせメッセージを出すことによって行われる。この目的で、認証メッセージにおいてネットワーク識別子（NAI: Network Access Identifier）が端末機器からアクセスネットワーク内の認証サーバへ渡される。ネットワークアクセス識別子は、該当する通信加入者が登録を行った通信ネットワークサービスプロバイダ（NSP: Network Service Provider）を表すキャラクタシーケンスないしはキャラクタストリングを有している。
【０００７】
これに加えて一般に、加入者を表すキャラクタストリングも含まれている。ネットワーク識別子および通信サービスプロバイダに関する利用可能な情報に基づき、通信加入者のホームネットワークにおける認証サーバが探し出される。通信ネットワークにおいて有効な登録が行われていない場合には、通信加入者に対しネットワークアクセスが禁止される。このようなケースであると、通信加入者は緊急コールを発することもできない。
【０００８】
したがって本発明の課題は、通信ネットワークにおいて有効な登録が存在していないときに通信加入者が緊急メッセージの伝達を行えるようにすることである。
【０００９】
本発明によればこの課題は、請求項１および１０記載の特徴を備えた方法およびシステムによって解決される。従属請求項には本発明の有利な実施形態が示されている。
【００１０】
本発明によれば、アクセスネットワーク（ＡＳＮ）を備えた通信ネットワーク内で端末機器（ＭＳ）の緊急メッセージを伝送する方法において、端末機器の緊急メッセージがネットワークアクセス識別子（ＮＡＩ）によって表される。アクセスネットワーク（ＡＳＮ）は、ネットワークアクセス識別子（ＮＡＩ）に基づき緊急メッセージをそのようなメッセージであると識別し、この緊急メッセージを緊急コネクティビティ・サービス・ネットワーク（緊急CSN, Emergency-CSN）へ転送する。したがって本発明における重要な部分として挙げられるのは、緊急コールサービスステーションを固有のネットワークサービスプロバイダ（ＮＳＰ）として捉えることであり、つまりは独立したコネクティビティ・サービス・ネットワークとして捉えることである。このようにすれば、通信ネットワークにおいて有効な登録がなくても緊急メッセージがアクセスネットワーク（ＡＳＮ）から緊急コネクティビティ・サービス・ネットワークへ転送されるようになる。この目的で本発明によればたとえば、アクセスネットワーク（ＡＳＮ）から緊急コネクティビティ・サービス・ネットワーク（緊急ＣＳＮ）への１つまたは複数のルートが設定される。
【００１１】
緊急コネクティビティ・サービス・ネットワーク（緊急ＣＳＮ）は１つの論理的なユニットであり、これに対し特別な管理タスクが割り当てられる。本発明の実施形態によればそれらのタスクとして挙げられるのは、ネットワークアクセスが不可能であるかまたは拒否されたけれども緊急サービスを利用したい端末機器に対し認証を首尾よく行うことである。一般に緊急ＣＳＮは１つまたは複数の緊急サービスを提供し、端末機器に対しそれらの利用を許可する。この目的で緊急ＣＳＮはＡＳＮにそれ相応に情報を通知する。
【００１２】
従来技術によればＣＳＮには、端末機器へのアドレス割り当てたとえばＩＰアドレスの割り当て、ＱｏＳ関連の機能、あるいは加入者の認証および権限付与のＡＡＡ機能ならびに加入者関連情報をアクセスネットワーク（ＡＳＮ）へ供給する機能といった機能が現在すでに含まれている。
【００１３】
本発明の別の有利な実施形態によれば、端末機器は通信ネットワークには登録されていない。アクセスネットワークの認証サーバ（ＡＡＡ）はネットワークアクセス識別子（ＮＡＩ）に基づき緊急メッセージを識別し、端末機器を通信ネットワークに登録する。
【００１４】
念のため述べておくと、プロトコルの視点からすれば一般的であるように本発明においては認証サーバとともに認証クライント（ＡＡＡクライアント）も含まれている。
【００１５】
本発明による方法の１つの択一的な実施形態によれば、端末機器は通信ネットワークには登録されていない。アクセスネットワーク（ＡＳＮ）は、ネットワークアクセス識別子（ＮＡＩ）に基づき緊急メッセージを識別し、それを緊急コネクティビティ・サービス・ネットワーク（緊急ＣＳＮ Emergency-CSN）の認証サーバ（ＡＡＡ）へ転送する。そして緊急コネクティビティ・サービス・ネットワーク（緊急ＣＳＮ）の認証サーバ（ＡＡＡ）が端末機器を通信ネットワークに登録する。本発明の１つの有利な実施形態によれば、ネットワークアクセス識別子（ＮＡＩ）は、端末機器を識別するためのキャラクタシーケンスと、緊急コネクティビティ・サービス・ネットワーク（緊急ＣＳＮ）をアドレッシングするためのキャラクタシーケンスとから成る。
【００１６】
本発明のさらに別の有利な実施形態によれば、端末機器は通信ネットワークには登録されていない。その際、アクセスネットワーク（ＡＳＮ）は、機器識別子（デバイス認証子Device Authentication）に基づき端末機器を認証し、および／または端末機器に権限を与える。
【００１７】
本発明の１つの有利な実施形態によれば、緊急コネクティビティ・サービス・ネットワーク（緊急ＣＳＮ）の認証サーバ（ＡＡＡ）は、事前に権限の付与されているアクセスネットワーク（ＡＳＮ）および／または事前に権限の付与されているアクセスネットワーク（ＡＳＮ）の認証サーバ（ＡＡＡ）から到来した緊急メッセージを承認する。
【００１８】
本発明の別の有利な実施形態によれば、通信ネットワークプロバイダによりユーザプロファイルを設定可能であり、このユーザプロファイルのパラメータに基づき端末機器と緊急コネクティビティ・サービス・ネットワーク（緊急ＣＳＮ）の間の通信コネクションに対し取り決めが行われる。ネットワークアクセス識別子（ＮＡＩ）には、設定されたユーザプロファイルを特徴づけるさらに別のキャラクタが含まれている。アクセスネットワーク（ＡＳＮ）および／または緊急コネクティビティ・サービス・ネットワーク（緊急ＣＳＮ）はネットワークアクセス識別子（ＮＡＩ）に基づき、設定されたユーザプロファイルを求める。これによって得られる有利な効果とは、あるクラスの複数の通信加入者に対したとえばＱｏＳ（Quality of Service）サービスを許可できることであり、これによればVoice-over-IPサービスを用いて緊急コール伝達に必要とされる帯域幅を保証することができる。
【００１９】
通信ネットワークにおいて端末機器の緊急メッセージを伝送するための本発明によるシステムによれば、端末機器の緊急メッセージはネットワークアクセス識別子（ＮＡＩ）により特徴づけられている。システムはアクセスネットワーク（ＡＳＮ）を有しており、これはネットワークアクセス識別子（ＮＡＩ）に基づき緊急メッセージをそのようなメッセージであるとして識別する。さらにシステムは緊急コネクティビティ・サービス・ネットワーク（緊急ＣＳＮ）を有しており、識別された緊急メッセージがアクセスネットワークから転送される。
【００２０】
次に、図面を参照しながら実施例に基づき本発明について詳しく説明する。
【図面の簡単な説明】
【００２１】
【図１】WiMAX通信ネットワークにおける従来技術による緊急サービスのコネクションについて示す図
【図２】WiMAX通信ネットワークにおける本発明による緊急サービスのコネクションについて示す図
【００２２】
図１には、WiMAX通信ネットワークにおける従来技術による緊急サービスのコネクションについて示されている。移動端末機器１０１は、接続ポイントＲ１を介してアクセスネットワーク（ASN）１０２と接続されている。さらにアクセスネットワーク（ASN）１０２は、接続ポイントＲ３を介して移動端末機器１０１のホームネットワーク（ホームＣＳＮ Home-CSN）１０３と接続されている。この場合、ホームネットワーク（Home-CSN）１０３は接続ポイントＩＰ／ＳＳ７を介して、WiMAX通信ネットワーク外に存在する外部の通信ネットワーク１０４とのコネクションを確立し、これによって緊急サービス１０５とのコネクションが形成される。移動端末機器１０１のユーザがWiMAX通信ネットワークのために有効な認証子を有していない場合、これまで公知の手法によればアクセスネットワーク（ASN）１０２を超えることはなかった。その理由は、アクセスネットワーク（ASN）１０２によってそのユーザが拒否されてしまうからである。このようなケースであると、移動端末機器１０１のユーザにとって緊急サービス１０５に緊急メッセージを伝達する手だてはない。
【００２３】
既存の解決手法によれば、到来する緊急コールを「シグナリングコントローラ」が識別して、「ルーティング・ディレクトリ」内のエントリに従い管轄の緊急コールセンタへ転送しなければならなかった。WiMAXネットワークにおける緊急コールサービスおよび緊急コールセンタの種々の形態において、通信をうまく行わせるためにサービスを整合させなければならない可能性がある。この役割は通常、「メディアコントローラ」が担う。
【００２４】
図２には、WiMAX通信ネットワークにおける本発明による緊急サービスのコネクションについて示されている。移動端末機器２０１は、接続ポイントＲ３を介してアクセスネットワーク（ASN）２０２と接続されている。アクセスネットワーク（ASN）２０２はさらに接続ポイントＲ３を介して緊急コネクティビティ・サービス・ネットワーク（緊急CSN, Emergency-CSN)２０３と接続されており、この緊急コネクションネットワーク２０３自体はVoice-over-IPベースの緊急サービスのためのＩＭＳ機能２０４を利用することができる。このように図１に示した緊急サービス１０５は、本発明によればWiMAX通信ネットワークのための独立したネットワークサービスプロバイダと捉えられ、したがって緊急サービスの提供に必要とされるＣＳＮ機能を利用することができる。この場合、緊急コネクティビティ・サービス・ネットワーク（Emergency-CSN）は、このネットワークの一部分であるかまたはこのネットワークと接続されている１つまたは複数の緊急サービスを提供することができる。一例として、ＩＭＳ（ＩＰベースのマルチメディアサブシステムIP-based Multimedia Subsystem）を含めることができるし、あるいはこれと接続することができ、このシステムは人に緊急事態を通達する目的で音声サービス（VoIP）のオプションを提供する。
【００２５】
この実施例でも移動端末機器２０１のユーザは、WiMAX通信ネットワークのために有効な認証子を有していない。移動端末機器２０１のユーザが緊急メッセージをアクセスネットワーク（ASN）２０２へ伝達するとき、この緊急メッセージはネットワークアクセス識別子により識別されており、その際、このネットワークアクセス識別子（NAI）は、緊急メッセージであることを識別させることのできるキャラクタを有している。
【００２６】
この種のネットワークアクセス識別子の１つの可能な実施形態によれば、これは移動端末機器のＭＡＣアドレス（Message Authentication Code）と、ドメインパートに関する固定的なキャラクタシーケンスとにより合成される。固定的に設定されたこのキャラクタシーケンスにより、アクセスネットワーク（ASN）は緊急メッセージを識別できるようになる。ドメインパートのキャラクタシーケンスとして考えられるのは、たとえば"@emergency"または"@wimax .emergency.com"などである。ネットワークアクセス識別子のさらに別の可能な実施形態によれば、たとえば緊急サービスの種々のクラスを区別する目的でドメインパートが用いられる。この種のドメインパートキャラクタシーケンスとして考えられるのは、たとえば"@110.emergency"または"@112. emergency"などである。
【００２７】
ネットワークアクセス識別子（NAI）の択一的な実施形態によれば、ビジターとしてアクセスする通信ネットワークのための有効な認証子を有している通信加入者のために、個々のユーザおよび／またはネットワークを確定することのできるキャラクタシーケンスが設けられている。この種のネットワークアクセス識別子はたとえば"{emergency}username@hdomain.com"または"username@emergency.hdomain.com"である。
【００２８】
ネットワークアクセス識別子（ＮＡＩ）に基づきアクセスネットワーク（ASN）２０２は緊急メッセージを識別し、この緊急メッセージを最寄りの緊急コネクティビティ・サービス・ネットワーク（緊急CSN, Emergency-CSN）２０３へ伝達する。緊急コネクティビティ・サービス・ネットワーク（緊急ＣＳＮ）２０３の認証サーバ（ＡＡＡ）は、ネットワークアクセス識別子（ＮＡＩ）に基づき移動端末機器２０１のユーザを認証し、さらにこれに加えてネットワークアクセス識別子（ＮＡＩ）に基づき、要求された緊急サービスのために該当ユーザのユーザプロファイルを求める。この実施例の場合、求められたユーザプロファイルはそのユーザに関するＱｏＳサービスとされており、これによればVoice-over-IPベースの緊急サービスのために必要とされる帯域幅が緊急コネクションネットワークによって提供される。
【００２９】
したがって本発明による方法によって保証されるのは、端末機器は有効な登録を行っていなくても、緊急サービスを要求したときにはWiMAX通信ネットワークにログインできることである。さらに必ず保証できる点は、端末機器は緊急サービスの利用に必要とされるＱｏＳ（Quality-of-Serive）サービスリソースを利用できることである。なぜならばこれは緊急ＣＳＮによりダイレクトに認証されるからであり、たとえばネットワークプロバイダのような第３者による認証が不要だからである。
【００３０】
本発明による方法の格別な利点は、有効なネットワーク登録を行っていない加入者に対しても有効なネットワーク登録を行っている加入者し対しても緊急サービスを利用できるようにする目的で、WiMAX通信ネットワークおよび殊にWiMAXアクセスネットワーク（ASN）に対し僅かな整合だけしか必要とされないことである。既存のWiMAX機能によって、加入者のデータトラフィックが常にコネクティビティ・サービス・ネットワーク（ＣＳＮ）を介して行われるようになり、したがってこの場合、常に緊急コネクティビティ・サービス・ネットワーク（Emergency-CSN）を介してデータトラフィックが伝送されるようになる。
【００３１】
なお、本発明はこれまで説明してきた実施例に限定されるものではない。
【図１】
2010501131.tif 000003
【図２】
2010501131.tif 000004
【国際調査報告】
2010501131.tif 000005
2010501131.tif 000006
2010501131.tif 000007
2010501131.tif 000008